(57)【要約】【課題】アルミニウム製製品をアルミニウム溶湯中に投入し、アルミニウム溶湯とアルミニウム溶湯の温度よりも融点が高いアルミニウム製製品を構成する部品とに分離し、回収する。【解決手段】アルミニウム溶湯中に挿入されている先端に向かって下り傾斜するアルミニウム製製品投入ガイド。表面から裏面にかけて縮径している外周面を有する回転軸と、周方向に所定の間隔を空けて回転軸から径方向外側に伸びる複数枚の分離壁と、分離壁の径方向外側端部に内周面が取り付けられる環体とを備え、回転軸を中心として回転する回転分離器。前記環体の内周面の位置が前記投入ガイドの前記先端より低い位置に配置される。回転分離器によって回収された前記部品をアルミニウム溶湯の外側に案内する不要部品排出ガイドの基端が回転分離器の回転軸の外周面の裏面の位置よりも低く配置され、先端がアルミニウム溶湯外部に伸びている。【選択図】図２
2014088586.tif 000002
【特許請求の範囲】
【請求項１】
アルミニウム製製品をアルミニウム溶湯中に投入して、アルミニウム溶湯と、前記アルミニウム溶湯の温度よりも融点が高い前記アルミニウム製製品を構成する部品とに分離し、これを回収するアルミニウム製製品からの不要部品分離・回収機構であって、
前記アルミニウム溶湯中に挿入されている先端に向かって下り傾斜しているアルミニウム製製品投入ガイドと、
表面から裏面にかけて縮径することにより表面側から裏面側にかけて下り傾斜している外周面を有する回転軸と、周方向に所定の間隔を空けて当該回転軸の外周面から径方向で外側に向かって放射状に伸びる複数枚の分離壁と、当該複数枚の分離壁の径方向の外側の端部に内周面が取り付けられている環体とからなり、
前記回転軸を中心として回転する回転分離器と、
前記回転分離器によって回収された、前記アルミニウム溶湯の温度よりも融点が高い前記部品を前記アルミニウム溶湯の外側に案内する排出ガイドと
からなり、
前記回転分離器は、外径側の一部が前記アルミニウム溶湯中に挿入され、前記回転軸を中心として前記アルミニウム溶湯中に挿入されている外径側部分に対向する外径側の他の部分が前記アルミニウム溶湯の上に出ていて、前記アルミニウム溶湯中に挿入されている外径側部分の前記表面の側が、前記アルミニウム製製品投入ガイドの前記アルミニウム溶湯中に挿入されている先端に臨んで、前記回転分離器の環体の内周面の位置が、前記アルミニウム製製品投入ガイドの前記先端より低い位置になるように配置され、
前記排出ガイドは、先端が前記アルミニウム溶湯の外部にまで伸び、基端が、前記回転分離器の前記アルミニウム溶湯の上に出ている外径側部分の前記裏面の側に近接し、当該基端の位置が、前記回転分離器の回転軸の外周面の前記裏面の位置よりも低くなるよう配置されている
ことを特徴とするアルミニウム製製品からの不要部品分離・回収機構。
【請求項２】
前記回転軸の径方向で外側に向かって延びる複数枚の分離壁は、前記環体の内周面が取り付けられている当該分離壁の径方向外側の前記端部の近傍において、前記回転分離器が前記回転軸を中心として回転する方向と反対の方向へ屈曲している
ことを特徴とする請求項１記載のアルミニウム製製品からの不要部品分離・回収機構。
【請求項３】
前記分離壁の前記径方向外側の端部の近傍における、前記回転分離器が前記回転軸を中心として回転する方向と反対の方向への屈曲は、前記分離壁が伸びている前記回転軸の径方向に対して、１５度乃至６０度の範囲で、回転分離器が前記回転軸を中心として回転する方向と反対の方向へ屈曲しているものである
ことを特徴とする請求項２記載のアルミニウム製製品からの不要部品分離・回収機構。
【請求項４】
前記環体は、その表面側の端部と裏面側の端部とにそれぞれ環状の鍔部を備えていて、
前記回転軸の周方向で所定の間隔をあけて隣接している前記分離壁の屈曲している前記径方向外側の端部と、前記環体の内周面及び、前記環体の表面側の端部及び裏面側の端部とにそれぞれ配備されている前記環状の鍔部とによって収容部が形成され、
前記分離壁の屈曲している前記端部に、前記分離壁で区画されて隣接している収容部同士を連通する第一のアルミニウム溶湯流通孔が形成され、
前記環体の表面側の端部に配備されている前記環状の鍔部に、前記収容部と外部とを連通する第二のアルミニウム溶湯流通孔が形成され、
前記環体の裏面側の端部に配備されている前記環状の鍔部に、前記収容部と外部とを連通する第三のアルミニウム溶湯流通孔が形成されている
ことを特徴とする請求項２又は３記載のアルミニウム製製品からの不要部品分離・回収機構。
【請求項５】
前記複数枚の分離壁の前記回転分離器の前記表面の側が凸状に湾曲していることを特徴とする請求項１乃至４のいずれか一項記載のアルミニウム製製品からの不要部品分離・回収機構。
【発明の詳細な説明】
【技術分野】
【０００１】
この発明は、アルミニウム製製品の製造工程で発生した不良品などを溶解し、アルミニウム溶湯と、当該アルミニウム溶湯の温度よりも融点が高い前記アルミニウム製製品を構成する部品とに分離して、前記アルミニウム溶湯をリサイクル利用に供すると共に、前記部品を前記アルミニウム溶湯中から分離・回収することに用いられる、アルミニウム製製品からの不要部品分離・回収機構に関する。
【背景技術】
【０００２】
自動車をはじめ、家電、その他の産業において使用される各種部品には数多くのアルミニウム製製品が用いられている。
【０００３】
アルミニウム製製品を製造する際には、アルミニウム製製品を製造する鋳造装置にアルミニウム溶湯を供給するアルミニウム溶解炉や、アルミニウム溶湯を収容・保持するアルミニウム溶湯保持炉、あるいは、アルミニウム溶解保持炉などが使用されている。
【０００４】
従来、これらの大半は、ガス燃焼バーナーを用いた坩堝炉または反射炉であった。近年では一部に浸漬型電気ヒーターまたはリジェネレーティブガスバーナーを用いた高品質のアルミニウムを供給する溶解炉も開発されている。
【０００５】
本願出願人は、これまで、前述したアルミニウム溶解炉、アルミニウム溶湯保持炉、アルミニウム溶解保持炉などの開発、製造や、これらに用いる耐火物などについての研究開発を行ってきた。
【０００６】
そして、耐火物をセラミック繊維で強化した耐熱衝撃性に優れ、クラックが発生しにくい特殊耐火物「ニカセラコ（商標）」（特許文献１参照）を開発し、「ニカセラコ（商標）」を用いた一体成形のアルミ溶湯バス、アルミ溶湯バルブや、アルミニウム溶湯加熱手段である「セラコヒーター（商標）」を組み込んだ溶融アルミニウム保持炉（特許文献２、３）などを開発、商品化して、アルミ溶湯の高品質化、省エネルギー化を図ってきた。
【０００７】
ところで、自動車をはじめ、家電、その他の産業において使用されるアルミニウム製製品の製造過程において発生した不良品、例えば、製品規格に適合していないアルミニウム製製品は、資源の有効利用の観点からリサイクル、リユースされる。この際、当該アルミニウム製製品中に、アルミニウム以外の部品が組み込まれていると、リユースするアルミニウムに不純物が含まれないようにするため、アルミニウムと、それ以外の部品とに分離して、それぞれ、回収する必要がある。
【０００８】
従来は、高温に保持されているアルミニウム溶湯中に、前述した不良品、例えば、製品規格に適合していないアルミニウム製エンジンブロックなどを浸漬して溶解させ、アルミニウム溶湯の温度よりも融点が高いアルミニウム製エンジンブロックの構成部品（シリンダー、ピストンリング、ボルト、等）を高温のアルミニウム溶湯中から掬い取る、等して、アルミニウムと、それ以外の部品とに分離し、それぞれ、回収していた。
【０００９】
なお、アルミニウム製製品をアルミニウム溶湯中に投入して溶解し、溶解しない当該アルミニウム製製品の構成部品を分離・回収するものではないが、アルミニウム等の溶湯中で、水素ガス、酸化物、非金属介在物などの不純物の除去を行う発明に関する提案が行われている（特許文献４）。
【先行技術文献】
【特許文献】
【００１０】
【特許文献１】特開２００９−２５６１３２号公報
【特許文献２】特開平１０−５９８２号公報
【特許文献３】特開平１０−５９８３号公報
【特許文献４】特開平１０−３０６３３０号公報
【発明の概要】
【発明が解決しようとする課題】
【００１１】
本発明は、アルミニウムのリサイクル、リユースに用いたいアルミニウム製製品、例えば、自動車をはじめ、家電、その他の産業において使用されるアルミニウム製製品の製造過程において発生した不良品など、例えば、製品規格に適合していないアルミニウム製製品などを、アルミニウムと、それ以外の部品とに分離して、それぞれ、回収する、アルミニウム製製品からの不要部品分離・回収機構、特に、アルミニウム溶湯中に前記アルミニウム製製品を投入して溶解させることにより、アルミニウム製製品を、アルミニウムと、それ以外の部品とに分離してそれぞれ回収し、アルミニウムのリサイクル、リユースに供することに適した、アルミニウム製製品からの不要部品分離・回収機構を提案することを目的にしている。
【課題を解決するための手段】
【００１２】
請求項１記載の発明は、
アルミニウム製製品をアルミニウム溶湯中に投入して、アルミニウム溶湯と、前記アルミニウム溶湯の温度よりも融点が高い前記アルミニウム製製品を構成する部品とに分離し、これを回収するアルミニウム製製品からの不要部品分離・回収機構であって、
前記アルミニウム溶湯中に挿入されている先端に向かって下り傾斜しているアルミニウム製製品投入ガイドと、
表面から裏面にかけて縮径することにより表面側から裏面側にかけて下り傾斜している外周面を有する回転軸と、周方向に所定の間隔を空けて当該回転軸の外周面から径方向で外側に向かって放射状に伸びる複数枚の分離壁と、当該複数枚の分離壁の径方向の外側の端部に内周面が取り付けられている環体とからなり、
前記回転軸を中心として回転する回転分離器と、
前記回転分離器によって回収された、前記アルミニウム溶湯の温度よりも融点が高い前記部品を前記アルミニウム溶湯の外側に案内する排出ガイドと
からなり、
前記回転分離器は、外径側の一部が前記アルミニウム溶湯中に挿入され、前記回転軸を中心として前記アルミニウム溶湯中に挿入されている外径側部分に対向する外径側の他の部分が前記アルミニウム溶湯の上に出ていて、前記アルミニウム溶湯中に挿入されている外径側部分の前記表面の側が、前記アルミニウム製製品投入ガイドの前記アルミニウム溶湯中に挿入されている先端に臨んで、前記回転分離器の環体の内周面の位置が、前記アルミニウム製製品投入ガイドの前記先端より低い位置になるように配置され、
前記排出ガイドは、先端が前記アルミニウム溶湯の外部にまで伸び、基端が、前記回転分離器の前記アルミニウム溶湯の上に出ている外径側部分の前記裏面の側に近接し、当該基端の位置が、前記回転分離器の回転軸の外周面の前記裏面の位置よりも低くなるよう配置されている
ことを特徴とするアルミニウム製製品からの不要部品分離・回収機構
である。
【００１３】
請求項２記載の発明は、
前記回転軸の径方向で外側に向かって延びる複数枚の分離壁は、前記環体の内周面が取り付けられている当該分離壁の径方向外側の前記端部の近傍において、前記回転分離器が前記回転軸を中心として回転する方向と反対の方向へ屈曲している
ことを特徴とする請求項１記載のアルミニウム製製品からの不要部品分離・回収機構
である。
【００１４】
請求項３記載の発明は、
前記分離壁の前記径方向外側の端部の近傍における、前記回転分離器が前記回転軸を中心として回転する方向と反対の方向への屈曲は、前記分離壁が伸びている前記回転軸の径方向に対して、１５度乃至６０度の範囲で、回転分離器が前記回転軸を中心として回転する方向と反対の方向へ屈曲しているものである
ことを特徴とする請求項２記載のアルミニウム製製品からの不要部品分離・回収機構
である。
【００１５】
請求項４記載の発明は、
前記環体は、その表面側の端部と裏面側の端部とにそれぞれ環状の鍔部を備えていて、
前記回転軸の周方向で所定の間隔をあけて隣接している前記分離壁の屈曲している前記径方向外側の端部と、前記環体の内周面及び、前記環体の表面側の端部及び裏面側の端部とにそれぞれ配備されている前記環状の鍔部とによって収容部が形成され、
前記分離壁の屈曲している前記端部に、前記分離壁で区画されて隣接している収容部同士を連通する第一のアルミニウム溶湯流通孔が形成され、
前記環体の表面側の端部に配備されている前記環状の鍔部に、前記収容部と外部とを連通する第二のアルミニウム溶湯流通孔が形成され、
前記環体の裏面側の端部に配備されている前記環状の鍔部に、前記収容部と外部とを連通する第三のアルミニウム溶湯流通孔が形成されている
ことを特徴とする請求項２又は３記載のアルミニウム製製品からの不要部品分離・回収機構
である。
【００１６】
請求項５記載の発明は、
前記複数枚の分離壁の前記回転分離器の前記表面の側が凸状に湾曲していることを特徴とする請求項１乃至４のいずれか一項記載のアルミニウム製製品からの不要部品分離・回収機構
である。
【発明の効果】
【００１７】
本発明によれば、アルミニウムのリサイクル、リユースに用いたいアルミニウム製製品、例えば、自動車をはじめ、家電、その他の産業において使用されるアルミニウム製製品の製造過程において発生した不良品など、例えば、製品規格に適合していないアルミニウム製製品などを、アルミニウムと、それ以外の部品とに分離して、それぞれ、回収する、アルミニウム製製品からの不要部品分離・回収機構、特に、アルミニウム溶湯中に前記アルミニウム製製品を投入して溶解させることにより、アルミニウム製製品を、アルミニウムと、それ以外の部品とに分離して、それぞれ、回収することに適した、アルミニウム製製品からの不要部品分離・回収機構を提供し、アルミニウムのリサイクル、リユースに供することができる。
【図面の簡単な説明】
【００１８】
【図１】本発明の不要部品分離・回収機構がアルミニウム溶湯保持炉に付設されて使用されている例を表す一部を省略した平面図。
【図２】本発明の不要部品分離・回収機構の使用状態を表す図であって、（ａ）は一部を省略した側面図、（ｂ）は部分拡大図。
【図３】本発明の不要部品分離・回収機構を構成する回転分離器の一例を表す図であって、（ａ）は表面側を表す斜視図、（ｂ）は部分拡大図、（ｃ）は裏面側を表す斜視図。
【図４】図３図示の回転分離器を表す図であって、（ａ）は表面側から見た図、（ｂ）はＡ−Ａ断面図、（ｃ）はＢ−Ｂ断面図。
【図５】図３図示の回転分離器を表す図であって、（ａ）は裏面側から見た図、（ｂ）はＣ−Ｃ断面図。
【図６】図３図示の回転分離器の部分拡大図であって、（ａ）は分離壁と環体との接続部を表面側から見た図、（ｂ）は分離壁と環体との接続部を環体の内側で周方向から見た図。
【発明を実施するための形態】
【００１９】
以下、添付図面を参照して本発明を実施するための形態を説明する。
【００２０】
図１は、本発明のアルミニウム製製品からの不要部品分離・回収機構（以下「分離・回収機構」と表すことがある）の一例を表す平面図である。図１では、アルミニウム溶湯保持炉２０に本発明の分離・回収機構が付設されている例を説明している。
【００２１】
本発明の分離・回収機構は、所定の高温（７００℃〜９００℃）に保持されているアルミニウム溶湯１１が収容されているアルミニウム溶解室１０に配備されて使用される。アルミニウム溶解室１０では、ヒーター、図示の実施形態ではガスバーナー式浸漬型ヒーター４０によって、アルミニウム溶湯１１が所定の高温（７００℃〜９００℃）に保持されている。
【００２２】
本発明の分離・回収機構は、図１、図２図示のように、アルミニウム製製品投入ガイド５０と、回転分離器３０と、排出ガイド６０とを備えている。
【００２３】
アルミニウム製製品投入ガイド５０は、図２図示のように、その先端５１（図２中、右端）がアルミニウム溶湯１１中に挿入されている。このアルミニウム製製品投入ガイド５０は、図２図示のように、その先端５１に向かって下り傾斜して配備されている。
【００２４】
回転分離器３０は、回転軸３１と、複数枚の分離壁３２と、回転軸３１より大径の環体３３とを備えていて、回転軸３１を中心として、不図示の回転駆動機構により、矢印８０方向に回転するようになっている。
【００２５】
図３乃至図６は、本発明の不要部品分離・回収機構を構成する回転分離器３０の一例を表す図である。
【００２６】
回転軸３１は、表面３１ａ（図２中、左側の側面）の側から裏面３１ｂ（図２中、右側の側面）の側にかけて縮径することにより表面３１ａの側から裏面３１ｂの側にかけて下り傾斜している外周面３１ｃを備えている（図３、図４（ｂ））。
【００２７】
複数枚の分離壁３２は、回転軸３１の周方向に所定の間隔を空けて回転軸３１の外周面３１ｃから径方向で外側に向かって放射状に伸びている（図３、図４）。
【００２８】
環体３３は、複数枚の分離壁３２の径方向の外側の端部に内周面３３ａが取り付けられている。
【００２９】
環体３３は、その表面３１ａ側の端部に環状の鍔部３３ｃを備えており、裏面３１ｂ側の端部に環状の鍔部３３ｄを備えている。
【００３０】
そして、上述したように、回転軸３１の周方向に所定の間隔を空けて回転軸３１の外周面３１ｃから径方向で外側に向かって伸びてきた分離壁３２の径方向の外側の端部が環体３３の内周面３３ａに取り付けられていることにより、周方向で所定の間隔をあけて隣接している分離壁３２、３２と、環体３３の内周面３３ａ及び、表面３１ａ側の環状の鍔部３３ｃ、裏面３１ｂ側の環状の鍔部３３ｄとによって、収容部３３ｂが形成されている。この収容部３３ｂは、周方向で所定の間隔をあけて隣接している分離壁３２、３２によって仕切られて、環体３３の内周に、複数個形成されている。
【００３１】
アルミニウム製製品投入ガイド５０を介して矢印７０で示すようにアルミニウム溶湯１１に投入されたアルミニウム製製品が溶解すると、アルミニウム溶湯１１中では溶解しない、アルミニウム溶湯１１よりも融点が高いアルミニウム製製品の構成部品が、収容部３３ｂに収容されることになる。すなわち、収容部３３ｂに、アルミニウムのリサイクル、リユースに不要な部品（アルミニウム製製品の構成部品であって、アルミニウム溶湯１１よりも融点が高いもの）が収容されることになる。
【００３２】
収容部３３ｂは、回転分離器３０が回転軸３１を中心として矢印８０の方向へ回転することにより、アルミニウム製製品の構成部品であって、アルミニウム溶湯１１よりも融点が高い構成部品を収容し、回転分離器３０が回転軸３１を中心として矢印８０で示す方向に回転する際に、当該収容した構成部品を所定の高さまで収容、保持する。
【００３３】
例えば、図３乃至図５において、符号１１０で示す位置で、アルミニウム製製品の構成部品であって、アルミニウム溶湯１１よりも融点が高い構成部品を、収容部３３ｂに収容し、回転分離器３０が回転軸３１を中心として矢印８０で示す方向に回転する際に、収容した構成部品を、例えば、符号１３０で示す位置付近まで当該収容部３３ｂ内に収容、保持し続ける。
【００３４】
そして、例えば、符号１３０で示す位置から、更に、矢印８０で示す方向に、回転分離器３０が回転軸３１を中心として回転することにより、収容部３３ｂに収容、保持されていた前記の構成部品が収容部３３ｂから、回転軸３１の外周面３１ｃに向けて落下する。落下した構成部品は、回転軸３１の外周面３１ｃに沿って、回転分離器３０表面３１ａ側から、裏面３１ｂ側に向けて摺動し、裏面３１ｂ側から矢印９０（図２）で示すように、排出ガイド６０の基端６２上に排出され、アルミニウム溶湯１１の外側へ排出される。
【００３５】
回転軸３１の径方向で外側に向かって延びる複数枚の分離壁３２は、環体３３の内周面３３ａが取り付けられている当該分離壁３２の径方向外側の端部の近傍において、回転分離器３０が回転軸３１を中心として回転する方向（矢印８０で示す方向）と反対の方向へ屈曲している（図４(ａ)、図５（ａ）、図６（ａ））。
【００３６】
そこで、符号１１０で示す位置で、アルミニウム製製品の構成部品であって、アルミニウム溶湯１１よりも融点が高い構成部品を、収容部３３ｂに収容した後、回転分離器３０が回転軸３１を中心として矢印８０で示す方向に回転し、例えば、符号１３０で示す位置付近まで、確実に、前記収容した構成部品を収容部３３ｂに保持できるようになっている。
【００３７】
この分離壁３２の径方向外側の端部の近傍における、回転分離器３０が回転軸３１を中心として回転する方向と反対の方向への屈曲角度θ（図６（ａ））は、分離壁３２が伸びている回転軸３１の径方向に対して、１５度乃至６０度の範囲で、回転分離器３０が回転軸３１を中心として回転する方向と反対の方向へ屈曲しているものにすることが望ましい。このようにすると、回転分離器３０が回転軸３１を中心として矢印８０で示す方向に回転する途中で、例えば、図４（ａ）に符号１２０で示す位置であって、アルミニウム溶湯１１の液面１２より十分高い位置にまで分離壁３２が持ち上げられていない状態で、収容部３３ｂに収容されていた前記の構成部品が落下してしまう可能性を排除できるので有利である。
【００３８】
このような観点から、より望ましい屈曲角度θ（図６（ａ））は３０度である。
【００３９】
分離壁３２の屈曲している端部３２ｂには、分離壁３２で区画されて隣接している収容部３３ｂ同士を連通する第一のアルミニウム溶湯流通孔３４が形成されている（図３（ｂ）、図４（ｂ）、図６）。この分離壁３２の屈曲している端部３２ｂに形成されている第一のアルミニウム溶湯流通孔３４を介して、収容部３３ｂに収容されているアルミニウム溶湯１１が、隣接している隣の収容部３３ｂへ流動していくことができる。
【００４０】
また、環体３３の表面３１ａ側の端部に配備されている環状の鍔部３３ｃには、収容部３３ｂと外部とを連通する第二のアルミニウム溶湯流通孔３５が形成されている（図４（ａ）、（ｃ）、図６）。この第二のアルミニウム溶湯流通孔３５を介して、収容部３３ｂに収容されているアルミニウム溶湯１１が、環体３３の表面３１ａ側へ流動していくことが可能になっている。
【００４１】
さらに、環体３３の裏面３１ｂ側の端部に配備されている環状の鍔部３３ｄには、収容部３３ｂと外部とを連通する第三のアルミニウム溶湯流通孔３６が形成されている（図３（ｃ）、図４（ｃ）、図５（ａ））。この第三のアルミニウム溶湯流通孔３６を介して、収容部３３ｂに収容されているアルミニウム溶湯１１が、環体３３の裏面３１ｂ側へ流動していくことが可能になっている。
【００４２】
第一のアルミニウム溶湯流通孔３４、第二のアルミニウム溶湯流通孔３５、第三のアルミニウム溶湯流通孔３６は、回転分離器３０が回転軸３１を中心として矢印８０の方向へ回転する際に、アルミニウム溶湯１１が収容部３３ｂに残留することを防ぐ役割を果たしている。
【００４３】
すなわち、回転分離器３０が回転軸３１を中心として矢印８０の方向へ回転する際に、前述したアルミニウム製製品の構成部品であって、アルミニウム溶湯１１よりも融点が高い構成部品とともに収容部３３ｂに収容されているアルミニウム溶湯１１は、第一のアルミニウム溶湯流通孔３４を介して隣接している隣の収容部３３ｂへ流動し、第二のアルミニウム溶湯流通孔３５を介して環体３３の表面３１ａ側へ流動し、あるいは、第三のアルミニウム溶湯流通孔３６を介して環体３３の裏面３１ｂ側へ流動することができ、こうして、アルミニウム溶解室１０中に収容されているアルミニウム溶湯１１中に戻り、収容部３３ｂに残らなくなる。
【００４４】
そして、例えば、符号１３０で示す位置から、更に、矢印８０で示す方向に、回転分離器３０が回転軸３１を中心として回転することにより、収容部３３ｂに収容、保持されていた前記の構成部品が収容部３３ｂから、回転軸３１の外周面３１ｃに向けて落下する際に、高温のアルミニウム溶湯１１が、収容部３３ｂから、回転軸３１の外周面３１ｃに向けて落下することがなくなる。これによって、排出ガイド６０の基端６２上に、不必要に、高温のアルミニウム溶湯１１が排出されるおそれがなくなる。
【００４５】
本発明の分離・回収機構において、回転分離器３０は、図２図示のように、外径側の一部がアルミニウム溶湯１１中に挿入され、回転軸３１を中心としてアルミニウム溶湯１１中に挿入されている外径側部分に対向する外径側の他の部分がアルミニウム溶湯１１の上に出ているように配置される。
【００４６】
また、アルミニウム溶湯１１中に挿入されている外径側部分の表面３１ａの側が、アルミニウム製製品投入ガイド５０のアルミニウム溶湯１１中に挿入されている先端５１に臨んで、回転分離器３０の環体３３の内周面３３ａの位置が、図２図示のように、アルミニウム製製品投入ガイド５０の先端５１より低い位置になるように配置される。
【００４７】
一方、排出ガイド６０は、図２図示のように、先端６１（図２中、右端）が、アルミニウム溶解室１０に収容されているアルミニウム溶湯１１の外部にまで伸び、基端６２（図２中、左端）が、回転分離器３０のアルミニウム溶湯１１の上に出ている外径側部分の裏面３１ｂの側に近接し、基端６２の位置が、回転分離器３０の回転軸３１の外周面３１ｃの裏面３１ｂの位置よりも、図２図示のように、低くなるよう配置されている。
【００４８】
排出ガイド６０は、回転分離器３０によって回収された、前記アルミニウム製製品を構成している構成部品であって、アルミニウム溶湯１１の温度よりも融点が高い構成部品を、アルミニウム溶湯１１の外側に案内する役割を果たす。
【００４９】
次に、リサイクル、あるいはリユースされるアルミニウム製製品が、製品規格に適合しなかったアルミニウム製エンジンブロックで、この構成部品にシリンダーやピストンリング、ボルト等のアルミニウム溶湯１１よりも融点が高いものが採用されている場合に、本発明の分離・回収機構を用いて、アルミニウム溶湯１１中にアルミニウム製エンジンブロックを投入して溶解させ、アルミニウムと、それ以外の構成部品（シリンダーやピストンリング、ボルト等のアルミニウム溶湯１１よりも融点が高いもの）とに分離して、それぞれ、回収する一例を説明する。
【００５０】
上述したように、アルミニウム溶解室１０には、ガスバーナー式浸漬型ヒーター４０が配備されていて、アルミニウム溶解室１０中のアルミニウム溶湯１１が加熱され、所定の溶湯温度（７００℃〜９００℃）に保持されている。
【００５１】
リサイクル、リユースされるアルミニウム製エンジンブロックは、アルミニウム製製品投入ガイド５０から矢印７０の方向に沿ってアルミニウム溶解室１０に投入され、アルミニウム溶湯１１中でアルミニウムが溶解される。
【００５２】
アルミニウム溶解室１０はアルミニウム溶湯保持炉２０に接続されていて、アルミニウム溶解室１０中のアルミニウム溶湯１１はオーバーフローにより、矢印１００で示すように、アルミニウム溶解室１０からアルミニウム溶湯保持炉２０へ流動する。これによって、アルミニウム溶解室１０中のアルミニウム溶湯１１は所定の容量、深さを越えないようになっている。
【００５３】
こうして、アルミニウム溶解室１０中のアルミニウム溶湯１１は、ガスバーナー式浸漬型ヒーター４０による加熱により、常時、所定の溶湯温度に保たれ、また、アルミニウム溶湯保持炉２０にオーバーフローしていくことにより、所定の容量、深さを越えないようになっている。
【００５４】
アルミニウム製製品投入ガイド５０を介して矢印７０で示すようにアルミニウム溶湯１１に投入されたアルミニウム製エンジンブロックは直ちに溶解するが、シリンダーやピストンリング、ボルト等のアルミニウム溶湯１１よりも融点が高いものは溶解せず、回転分離器３０の周方向で所定の間隔をあけて隣接している分離壁３２、３２と、環体３３の内周面３３ａ及び、環体３３の表面３１ａ側の環状の鍔部３３ｃ、裏面３１ｂ側の環状の鍔部３３ｄとによって形成されている収容部３３ｂに収容される。
【００５５】
例えば、図３乃至図５において、符号１１０で示される位置で、前記のアルミニウムのリユース、リサイクルに不要な構成部品であるシリンダーやピストンリング、ボルト等が収容部３３ｂに収容される。
【００５６】
なお、回転分離器３０の表面３１ａの側である分離壁３２の表面３２ａを図３（ｂ）図示のように、凸状に湾曲している形状、構造にしておくと、矢印７０（図１（ａ））方向で移動してくる前記のシリンダー等を収容部３３ｂに案内しやすくなるので有利である。
【００５７】
上述したように、アルミニウム溶湯１１中で溶解しないシリンダーなどが、アルミニウム溶湯１１中に挿入されているアルミニウム製製品投入ガイド５０の先端５１から収容部３３ｂ内に落下し、収容される。
【００５８】
そこで、上述した、回転分離器３０のアルミニウム溶湯１１中に挿入されている外径側部分の表面３１ａの側が、アルミニウム製製品投入ガイド５０のアルミニウム溶湯１１中に挿入されている先端５１に臨んで、回転分離器３０の環体３３の内周面３３ａの位置が、アルミニウム製製品投入ガイド５０の先端５１より低い位置になるように配置される構成は、より好ましくは、回転分離器３０のアルミニウム溶湯１１中に挿入されている外径側部分の表面３１ａの側が、アルミニウム製製品投入ガイド５０のアルミニウム溶湯１１中に挿入されている先端５１に臨んで、回転分離器３０の表面３１ａの側の環状の鍔部３３ｃの内径側の周面の位置が、アルミニウム製製品投入ガイド５０の先端５１より低い位置になる配置構成であることがより望ましい。
【００５９】
こうして収容部３３ｂに収容されたシリンダーなどは、収容部３３ｂに収容、保持されている状態で、回転軸３１を中心として矢印８０で示す方向に回転する。
【００６０】
そして、例えば、符号１３０の位置から、更に、矢印８０で示す方向に、回転分離器３０が回転軸３１を中心として回転することにより、収容部３３ｂに収容、保持されていた前記のシリンダーなどが収容部３３ｂから、回転軸３１の外周面３１ｃに向けて落下する。そして、回転軸３１の外周面３１ｃに沿って、回転分離器３０表面３１ａ側から、裏面３１ｂ側に向けて摺動し、裏面３１ｂ側から矢印９０（図２）で示すように、排出ガイド６０の基端６２上に排出される。排出ガイド６０の基端６２上に排出されたシリンダーなどは、排出ガイド６０上を矢印９０方向に摺動し、アルミニウム溶湯１１の外側に排出されていく。
【００６１】
図２図示の実施形態では、回転分離機３０の回転軸３１は、アルミニウム溶湯１１中に挿入されている先端５１に向かって下り傾斜しているアルミニウム製製品投入ガイド５０の傾斜角度に対応する傾斜角度で配置されている。このため、アルミニウム製製品投入ガイド５０を介して矢印７０で示すようにアルミニウム溶湯１１に投入されたアルミニウム製エンジンブロックが直ちに溶解し、シリンダー等のアルミニウム溶湯１１よりも融点が高い構成部品が収容部３３ｂに落下、収容される際、収容部３３ｂも図２図示のように傾斜していることになる。
【００６２】
しかし、収容部３３ｂも図２中の右側には、環体３３の裏面３１ｂ側の端部に形成されている環状の鍔部３３ｄが存在している。そこで、回転分離機３０が矢印８０方向に回転して、例えば、符号１３０で示す位置にまで回転する間、収容部３３ｂに落下、収容されたシリンダーなどが、収容部３３ｂから、図２中、右斜め下方向に滑り落ちてしまうおそれは無い。
【００６３】
図示していないが、回転分離機３０の回転軸３１が水平に配置される配置構成の場合であっても、収容部３３ｂの、図２中、左右両側に、それぞれ環体３３の表面３１ａ側の環状の鍔部３３ｃ、裏面３１ｂ側の環状の鍔部３３ｄが存在している。そこで、回転分離機３０が矢印８０方向に回転して、例えば、符号１３０で示す位置にまで回転する間、収容部３３ｂに落下、収容されたシリンダーなどが、図２中、左右いずれかの方向に移動して、収容部３３ｂから出てしまうおそれは無い。
【００６４】
このように、本発明の分離・回収機構によって、アルミニウムのリサイクル、リユースに用いたいアルミニウム製製品、例えば、自動車をはじめ、家電、その他の産業において使用されるアルミニウム製製品の製造過程において発生した不良品、例えば、製品規格に適合していないアルミニウム製製品などを、アルミニウム溶湯中に投入して溶解させ、アルミニウムと、それ以外の構成部品（融点がアルミニウム溶湯の保持温度より高い構成部品）とに分離して、それぞれ、回収し、アルミニウムのリサイクル、リユースに供することができる。
【００６５】
本発明の分離・回収機構によって上述したように分離回収することで、図１に例示した実施例では、アルミニウム溶湯保持炉２０に、アルミニウム製製品が溶融したアルミニウム溶湯であって、アルミニウム以外のものを含んでいないアルミニウム溶湯１１がオーバーフローによって流入していく。
【００６６】
これによって、高温のアルミニウム溶湯中から、アルミニウム溶湯の温度よりも融点が高いアルミニウム製製品の構成部品を掬い取る、等の手間や、装置を要することなく、簡単に、純度の高いアルミニウム溶湯をリサイクル、リユースにまわすことができる。
【００６７】
以上、添付図面を参照して本発明の好ましい実施形態を説明したが、本発明はかかる実施形態、実施例に限定されるものではなく、特許請求の範囲の記載から把握される技術的範囲において種々に変更可能である。
【符号の説明】
【００６８】
１０  アルミニウム溶解室
１１  アルミニウム溶湯
１２  アルミニウム溶湯の液面
２０  アルミニウム溶湯保持炉
３０  回転分離器
３１  回転軸
３１ａ  回転軸の表面側
３１ｂ  回転軸の裏面側
３１ｃ  回転軸の外周面
３２    分離壁
３２ａ  分離壁の表面
３２ｂ  分離壁の径方向外側の端部
３３    環体
３３ａ  環体の内周面
３３ｂ  収容部
３３ｃ  環体の表面側の端部に形成されている環状の鍔部
３３ｄ  環体の裏面側の端部に形成されている環状の鍔部
３４  第一のアルミニウム溶湯流通孔
３５  第二のアルミニウム溶湯流通孔
３６  第三のアルミニウム溶湯流通孔
４０  ガスバーナー式浸漬型ヒーター
５０  アルミニウム製製品投入ガイド
５１  アルミニウム製製品投入ガイドの先端
６０  排出ガイド
６１  排出ガイドの先端
６２  排出ガイドの基端
【図１】
2014088586.tif 000003
【図２】
2014088586.tif 000004
【図３】
2014088586.tif 000005
【図４】
2014088586.tif 000006
【図５】
2014088586.tif 000007
【図６】
2014088586.tif 000008